(57)【要約】【課題】表示媒体の外部から入射した光が透明な材料からなる第３基板を透過する光の量を減らすことにより、鮮明な画像が表示出来る両面表示可能な表示媒体を提供することを目的とする。【解決手段】上記目的を達成するため、透明な第１基板と、前記第１基板に対向する透明な第２基板と、前記第１基板と前記第２基板との間に配置される透明な第３基板と、前記第１基板と前記第３基板との間に配置され、多数の帯電粒子を含む第１の層と、前記第２基板と前記第３基板との間に配置され、多数の帯電粒子を含む第２の層と、前記第３基板に備えられた複数の画素電極と、前記第１の層と前記第２の層との間に配置され、前記第１基板及び前記第２基板の少なくとも一方の基板の外部から入射する光を減光する第１減光部と、を備えたことを特徴とするものである。【選択図】        図２
2012032535.tif 000002
【特許請求の範囲】
【請求項１】
透明な第１基板と、
前記第１基板に対向する透明な第２基板と、
前記第１基板と前記第２基板との間に配置される透明な第３基板と、
前記第１基板と前記第３基板との間に配置され、多数の帯電粒子を含む第１の層と、
前記第２基板と前記第３基板との間に配置され、多数の帯電粒子を含む第２の層と、
前記第３基板に備えられた複数の画素電極と、
前記第１の層と前記第２の層との間に配置され、前記第１基板及び前記第２基板の少なくとも一方の基板の外部から入射する光を減光する第１減光部と、
を備えたことを特徴とする表示媒体。
【請求項２】
前記画素電極は前記第１の層と前記第３基板との間に配置され、
前記第１減光部は、前記第１の層と前記複数の画素電極との間に配置されること
を特徴とする請求項１に記載の表示媒体。
【請求項３】
前記第２の層と前記第３基板との間に配置され、前記第１基板及び前記第２基板の少なくとも一方の基板の外部から入射する光を減光する第２減光部
を備えたことを特徴とする請求項２に記載の表示媒体。
【請求項４】
前記複数の画素電極の各々に対応して前記第３基板に備えられ、前記画素電極への電圧の印加を制御するためのＴＦＴ
を備えたことを特徴とする請求項２または３に記載の表示媒体。
【請求項５】
前記第１減光部は、第１の層側と第２の層側との少なくとも一方に反射部
を備えたことを特徴とする請求項１〜４のいずれかに記載の表示媒体。
【請求項６】
前記画素電極は前記第１の層と前記第３基板との間に配置され、
前記第１減光部は、前記第２の層と前記第３基板との間に配置されること
を特徴とする請求項１に記載の表示媒体。
【請求項７】
前記画素電極は、前記第１の層と前記画素電極との距離と、前記第２の層と前記画素電極との距離と、が等しくなる位置に配置され、
前記第１減光部は、前記複数の画素電極に対向して配置される
ことを特徴とする請求項１に記載の表示媒体。
【発明の詳細な説明】
【技術分野】
【０００１】
本発明は、両面に表示可能な表示媒体に関するものである。
【背景技術】
【０００２】
従来より、両面に表示可能な表示媒体が知られている。この表示媒体は、画像を表示するために第１の層及び第２の層を備え、両層が対向して設けられる。例えば、特許文献１に記載された表示媒体は、第１の層としての第１表示部及び第２の層としての第２表示部を備える。第３基板としての共通基板が、第１の層と第２の層との間に配置される。第１の層から第３基板へ向かう方向が正面方向であり、第２の層から第３基板へ向かう方向が背面方向である。ユーザは、表示媒体の外部において、正面方向から第１の層に表示された画像を目視してもよいし、背面方向から第２の層に表示された画像を目視してもよい。正面方向から第１の層に表示された画像を目視するときには、ユーザは、表示媒体の外部から正面方向に入射した光が第１の層で反射される反射光を見る。背面方向から第２の層に表示された画像を目視するときには、ユーザは、表示媒体の外部から背面方向に入射した光が第２の層で反射される反射光を見る。第１の層及び第２の層に表示された画像を書き換えるために、画素電極が第３基板に備えられる。一般に、この第３基板は、ガラスやポリエチレンテレフタレートなどの透明な材料からなる。
【先行技術文献】
【特許文献】
【０００３】
【特許文献１】特開２００５−３２１７３２号公報
【発明の概要】
【発明が解決しようとする課題】
【０００４】
透明な材料からなる第３基板が、第１の層と第２の層との間に設けられると、表示媒体の外部から入射する光は、この第３基板を透過する可能性がある。表示媒体の外部から入射した光が第３基板を透過すると、次のような問題が発生することが考えられる。例えば、表示媒体の外部から背面方向に入射した光は、第２の層、第３基板及び第１の層を透過し、正面方向から第１の層に表示された画像を目視するユーザの目に入る。すなわち、ユーザが正面方向から第１の層に表示された画像を目視するときには、表示媒体の外部から正面方向に入射した光が第１の層で反射される反射光と、表示媒体の外部から背面方向に入射した光が第２の層、第３基板及び第１の層を透過した透過光とが、ユーザの目に入ることになる。さらには、表示媒体の外部から正面方向に入射した光が第１の層及び第３基板を透過し、第２の層で反射される場合がある。この第２の層で反射された光は、正面方向から第１の層に表示された画像を目視するユーザの目に入る。
このため、ユーザが、正面方向から第１の層に表示される所望の画像を見るときに、背面方向からの透過光、及び正面方向から入射する光が第２の層で反射される反射光の影響を受けて、所望の画像を鮮明に見ることができない。この場合、所望の画像は、第２の層で反射される反射光よりも背面方向からの透過光の影響を大きく受ける。
【０００５】
本発明は、上述した問題点を解決するためになされたものであり、表示媒体の外部から入射した光が透明な材料からなる第３基板を透過する光の量を減らすことにより、鮮明な画像が表示出来る両面表示可能な表示媒体を提供することを目的とする。
【課題を解決するための手段】
【０００６】
上記目的を達成するために、請求項１記載の本発明は、透明な第１基板と、前記第１基板に対向する透明な第２基板と、前記第１基板と前記第２基板との間に配置される透明な
第３基板と、前記第１基板と前記第３基板との間に配置され、多数の帯電粒子を含む第１の層と、前記第２基板と前記第３基板との間に配置され、多数の帯電粒子を含む第２の層と、前記第３基板に備えられた複数の画素電極と、前記第１の層と前記第２の層との間に配置され、前記第１基板及び前記第２基板の少なくとも一方の基板の外部から入射する光を減光する第１減光部と、を備えたことを特徴とするものである。
【０００７】
上記目的を達成するために、請求項２記載の本発明は、請求項１に記載の表示媒体において、前記画素電極は前記第１の層と前記第３基板との間に配置され、前記第１減光部は、前記第１の層と前記複数の画素電極との間に配置されることを特徴とするものである。
【０００８】
上記目的を達成するために、請求項３記載の本発明は、請求項２に記載の表示媒体において、前記第２の層と前記第３基板との間に配置され、前記第１基板及び前記第２基板の少なくとも一方の基板の外部から入射する光を減光する第２減光部を備えたことを特徴とするものである。
【０００９】
上記目的を達成するために、請求項４記載の本発明は、請求項２または３に記載の表示媒体において、前記複数の画素電極の各々に対応して前記第３基板に備えられ、前記画素電極への電圧の印加を制御するためのＴＦＴを備えたことを特徴とするものである。
【００１０】
上記目的を達成するために、請求項５記載の本発明は、請求項１〜４のいずれかに記載の表示媒体において、前記第１減光部は、第１の層側と第２の層側との少なくとも一方に反射部を備えたことを特徴とするものである。
【００１１】
上記目的を達成するために、請求項６記載の本発明は、請求項１に記載の表示媒体において、前記画素電極は前記第１の層と前記第３基板との間に配置され、前記第１減光部は、前記第２の層と前記第３基板との間に配置されることを特徴とするものである。
【００１２】
上記目的を達成するために、請求項７記載の本発明は、請求項１に記載の表示媒体において、前記画素電極は、前記第１の層と前記画素電極との距離と、前記第２の層と前記画素電極との距離と、が等しくなる位置に配置され、前記第１減光部は、前記複数の画素電極に対向して配置されることを特徴とするものである。
【００１３】
請求項１に記載の表示媒体によれば、第１減光部が、第１の層と第２の層との間に配置される。従って、表示媒体の外部から入射する光は、第１減光部により減光される。これにより、表示媒体の外部から入射した光が、透明な材料からなる第３基板を透過する光の量を減らすことが出来る。これにより、ユーザは、第２基板から第３基板に向かう方向へ、表示媒体の外部から入射した光が、第３基板を透過する透過光の影響が減少された鮮明な画像を第１の層に表示された画像として見ることが出来る。また、ユーザは、第１基板から第３基板に向かう方向へ、表示媒体の外部から入射した光が、第３基板を透過する透過光の影響が減少された鮮明な画像を第２の層に表示された画像として見ることが出来る。
【００１４】
請求項２に記載の表示媒体によれば、第１減光部が、第１の層と複数の画素電極との間に配置される。従って、第１基板から第３基板へ向かう方向へ、表示媒体の外部から入射した光が、画素電極により反射される反射光を第１減光部により減光することができる。これにより、ユーザは、第１基板から第３基板へ向かう方向へ、表示媒体の外部から入射した光が、画素電極により反射される反射光の影響が減少された鮮明な画像を第１の層に表示された画像として見ることが出来る。
【００１５】
請求項３に記載の表示媒体によれば、第２減光部が、第２の層と第３基板との間に配置
される。従って、表示媒体の外部から入射した光は、第１減光部及び第２減光部により減光される。これにより、表示媒体の外部から入射した光が、透明な材料からなる第３基板を透過する場合の光の量を、第１減光部のみが設けられた表示媒体よりも減らすことが出来る。これにより、ユーザは、第１基板または第２基板から第３基板に向かう方向へ、表示媒体の外部から入射した光が、第３基板を透過する透過光の影響が一層減少された鮮明な画像を、第２の層または第１の層に表示された画像として見ることが出来る。
【００１６】
請求項４に記載の表示媒体によれば、画素電極への電圧の印加を制御するためのＴＦＴが複数の画素電極の各々に対応して前記第３基板に備えられる。第１減光部が画素電極と第１の層との間に配置される。従って、請求項１に記載の表示媒体による効果に加えて、第１基板から第３基板へ向かう方向へ、表示媒体の外部から入射した光が第１基板側のＴＦＴに入射することにより発生するリーク電流を、第１減光部が入射した光を減光することにより、抑えることが出来る。これにより、第１の層に表示される画像及び第２の層に表示される画像が書き換えられる場合において、リーク電流による画像の書き換えの誤作動を減らすことが出来る。さらに、第２減光部が表示媒体に備えられる場合には、第２基板から第３基板へ向かう方向へ、表示媒体の外部から入射した光が第２基板側のＴＦＴに入射することにより発生するリーク電流を、第２減光部が入射した光を減光することにより、抑えることが出来る。これにより、第１の層に表示される画像及び第２の層に表示される画像が書き換えられる場合において、リーク電流による画像の書き換えの誤作動を減らすことが出来る。
【００１７】
請求項５に記載の表示媒体によれば、第１減光部は、第１の層側と第２の層側との少なくとも一方に反射部を備える。従って、反射部が第１の層側に設けられた場合は、第１基板の外部から入射する光は反射部により反射される。これにより、第１の層に表示された画像は、反射部が第１減光部に設けられない場合よりも、明るく表示される。これにより、第１の層に表示される画像の視認性が向上する。一方、反射部が第２の層側に設けられた場合は、第２基板の外部から入射する光は反射部により反射される。これにより、第２層に表示された画像は、反射部が第１減光部に設けられない場合よりも、明るく表示される。これにより、第２の層に表示される画像の視認性が向上する。
【００１８】
請求項６に記載の表示媒体によれば、画素電極が、第１の層と第３基板との間に配置される。第１減光部が、第２の層と第３基板との間に配置される。従って、第２の層を第３基板に固定する際に、第１減光部を第２の層と第３基板との間に設ければよいので、表示媒体に第１減光部を設けるのが容易にすることができる。
【００１９】
請求項７に記載の表示媒体によれば、画素電極は、第１の層と画素電極との距離と、第２の層と画素電極との距離と、が等しくなる位置に配置される。第１減光部は、複数の画素電極に対向して配置される。従って、第１の層に表示される画像を書き換える場合と、第２の層に表示される画像を書き換える場合と、で画素電極に印加する電圧及びこの電圧を印加する時間を等しくすることが出来る。従って、第１の層に表示された画像を書き換える制御及び第２の層に表示された画像を書き換える制御が容易になる。
【図面の簡単な説明】
【００２０】
【図１】本発明の一実施形態に係る表示装置１の外観図である。
【図２】図１に示したＡ−Ａ線に従う断面図である。
【図３】表示媒体１０の詳細な構成を示す説明図である。
【図４】回路形成面４００Ａに形成されるアクティブマトリックス回路を示す説明図である。
【図５】アクティブマトリックス回路の領域Ａに配置されるＴＦＴ１４０と画素電極１３５とを拡大して示す説明図である。
【図６】変形例４における表示媒体１０の詳細な構成を示す説明図である。
【発明を実施するための形態】
【００２１】
以下に、本発明の表示媒体が適用される一実施形態に係る表示装置１の概要について説明する。表示装置１は、文書や、画像などを表示する表示装置である。表示装置１は、ユーザが携帯可能なサイズである。表示装置１を携帯して外出することで、ユーザは外出先でも所望の文書や画像を閲覧することが出来る。
【００２２】
図１及び図２を参照し、表示装置１の構成を説明する。図１は表示装置１の外観図である。図２は、図１に示すＡ−Ａ線に従う断面図である。図１及び図２に示すように、表示装置１は、上透明板２Ａと、下透明板２Ｂと、複数のボタン３と、上筐体４と、下筐体５と、ＦＰＣ（Flexible Printed Circuits）６と、回路基板７と、表示媒体１０とを備え
る。図２に示すように、表示装置１において複数のボタン３が配置されている側を上側とし、複数のボタン３が配置されていない側を下側とする。この上下方向は、他の図面においても適用される。
【００２３】
表示装置１は、上筐体４、下筐体５、上透明板２Ａ及び下透明板２Ｂに囲まれた表示装置１の内部空間に、表示媒体１０、ＦＰＣ６及び回路基板７を備える。
【００２４】
上筐体４及び下筐体５は、ＡＢＳ樹脂などの好適な合成樹脂材料により形成されれば良い。上筐体４及び下筐体５は、主に表示装置１の外形を形成する。上筐体４及び下筐体５は、表示装置１の内部空間にある表示媒体１０、ＦＰＣ６及び回路基板７を保護する。
【００２５】
上筐体４は、上筐体４の上面の略中央に開口部分を有する。上透明板２Ａがその開口部分にはめ込まれる。下筐体５は、下筐体５の下面の略中央に開口部分を有する。下透明板２Ｂがその開口部分にはめ込まれる。ユーザは、上透明板２Ａまたは下透明板２Ｂを介して表示媒体１０に表示された画像を視認する。上透明板２Ａ及び下透明板２Ｂは、透明なアクリルなどの好適な合成樹脂材料により形成されれば良い。
【００２６】
表示装置１は、複数のボタン３を備える。ボタン３は、回路基板７に備えられた周知のメンブレンスイッチの接点のオンとオフとの切り替えを行うために設けられる。ボタン３は、ＡＢＳ樹脂などの好適な合成樹脂材料により形成されれば良い。ボタン３の上部は、上筐体４から外部に突出する。ユーザがボタン３を押下することにより、ボタン３は、回路基板７に備えられたメンブレンスイッチを押下し、メンブレンスイッチの接点が接続される。
【００２７】
回路基板７は、表示装置１を制御するために必要な回路を備える。この回路はコンデンサ、抵抗、ダイオードなどの回路素子を備える。上述したように、回路基板７は、表示コントローラやメンブレンスイッチを備える。
【００２８】
表示装置１は、表示媒体１０と回路基板７とを所定位置に保持するための図示していない保持部材を備える。表示装置１は、表示媒体１０に電力を供給するための図示していないバッテリー等の電源を備える。
【００２９】
表示媒体１０は、特表２００４−５３６３３６号公報等に記載されている周知の電気泳動型の表示素子を備えた表示媒体である。表示媒体１０の詳細な構成については後述する。表示装置１は表示媒体１０に所望の画像を表示する。表示媒体１０に表示された画像は、回路基板７に備えられた表示コントローラにより書き換えられる。表示媒体１０の表示を書き換えるための電子回路が回路基板７に形成されている。表示媒体１０に表示された画像は、表示媒体１０、または、表示コントローラへの電力の供給が断たれても、表示さ
れたまま維持される。このような表示装置１は、画像の表示の維持のために電力を必要としない。従って、画像の書き換え後は、表示媒体１０、または、表示コントローラへの電力の供給が停止されることにより電力消費を抑えることが出来る。従って、画像の表示の維持のために電力が必要な、従来のバックライトを必要とするＬＣＤ（Ｌｉｑｕｉｄ Ｃ
ｒｙｓｔａｌ Ｄｉｓｐｌａｙ）パネルや、ＰＤＰ（Ｐｌａｓｍａ Ｄｉｓｐｌａｙ Ｐａ
ｎｅｌ）などの自発光型の表示パネルを備えた表示装置に比べ、消費電力が少ないという特徴がある。
【００３０】
図３を参照して表示媒体１０の詳細な内部構成について説明する。表示媒体１０は、第１積層体１００と第２積層体２００と複数の画素電極３００とガラス基板４００とを備える。複数の画素電極３００はガラス基板４００の上面に配置される。第１積層体１００は、複数の画素電極３００の上方に配置される。第２積層体２００はガラス基板４００の下面に配置される。第１積層体１００及び第２積層体２００の各々は、保護フィルム１０１と透明接着層１０２と電極形成フィルム１０３とポリマーバインダ１０４とを備える。第１積層体１００に備えられる電極形成フィルム１０３及びポリマーバインダ１０４が、各々本発明の第１基板及び第１の層の一例である。第２積層体２００に備えられる電極形成フィルム１０３及びポリマーバインダ１０４が、各々本発明の第２基板及び第２の層の一例である。ガラス基板４００が本発明の第３基板の一例である。
【００３１】
第１積層体１００の構成について詳細に説明する。保護フィルム１０１は、第１積層体１００の最も上側に位置する層である。保護フィルム１０１は、ＰＥＴ（Polyethylene  Terephthalate）で形成された透明なプラスティックフィルムである。紫外線の照射を吸
収するための保護層、酸素または湿気の侵入を防止するための障壁層、及び、光学特性を改善するための反射防止コーティング、防眩コーティングなどが保護フィルム１０１の上面に施される。
【００３２】
透明接着層１０２が保護フィルム１０１の下に配置される。透明接着層１０２はアクリルを主成分とする透明なアクリル系接着剤で形成される。透明接着層１０２は、保護フィルムの下面と、電極形成フィルム１０３の上面とを接着する。
【００３３】
電極形成フィルム１０３が透明接着層１０２の下に配置される。電極形成フィルム１０３は、ＰＥＴで形成された透明なプラスティックフィルムである。電極形成フィルム１０３の下面は電極形成面１０３Ａである。すべての画素に対して共通に設けられた共通電極が電極形成面１０３Ａに形成される。共通電極はＩＴＯ（Indium Tin Oxide）から形成される。ＩＴＯが電極形成面１０３Ａに蒸着されることにより、共通電極が電極形成フィルム１０３に形成される。図３に共通電極は図示されていない。
【００３４】
ポリマーバインダ１０４が電極形成フィルム１０３に形成された共通電極の更に下に配置される。ポリマーバインダ１０４は、複数のマイクロカプセル１０５を備える。ポリマーバインダ１０４は、電極形成フィルム１０３と接着されて形成される。ポリマーバインダ１０４は、ポリウレタン等の合成樹脂材料により形成される。マイクロカプセル１０５は、ポリマーバインダ１０４内に形成された小さな空間である。炭化水素ベースの流体がマイクロカプセル１０５に収納されている。多数の白色帯電粒子１５１及び多数の黒色帯電粒子１５２が分散された状態で、炭化水素ベースの流体中に保持される。白色帯電粒子１５１は、正に帯電した白色の粒子である。黒色帯電粒子１５２は、負に帯電した黒色の粒子である。電圧が画素電極３００及び共通電極に印加されると、白色帯電粒子１５１及び黒色帯電粒子１５２がマイクロカプセル１０５中で移動する。この移動により、第１積層体１００に表示される画像が書き換えられる。ポリマーバインダ１０４は、第１積層体１００のもっとも下に位置する層である。
【００３５】
上述したように、第１積層体１００は、複数の層が順番に積層されることにより形成される。保護フィルム１０１と、透明接着層１０２と、電極形成フィルム１０３と、ポリマーバインダ１０４とは、上から見たとき略同じ大きさの矩形の形状である。第１積層体１００は、上から見たときに第１積層体１００よりも一回り大きい大きさのガラス基板４００上に減光性両面テープ１０７を介して配置される。ガラス基板４００と、第１積層体１００とは、減光性両面テープ１０７により接着される。この減光性両面テープ１０７が、第１積層体１００とガラス基板４００との間に配置されるので、表示媒体１０の製造は容易になる。減光性両面テープ１０７が本発明の第１減光部の一例である。第２積層体２００は、保護フィルム１０１と、透明接着層１０２と、電極形成フィルム１０３と、ポリマーバインダ１０４とが下から上へ備えられる。第２積層体２００の詳細な構成については第１積層体１００と同様であるので説明を省略する。第２積層体２００は両面テープを介してガラス基板４００の下面と接着される。この両面テープはポリエステルフィルムで形成された基材の両面に、アクリルを主成分とするアクリル系接着剤を備えた両面テープである。
【００３６】
ガラス基板４００は、ガラスで形成された基板である。回路形成面４００Ａがガラス基板４００の上面に備えられる。図３では、省略して記載していないが、アクティブマトリクス回路が回路形成面４００Ａに形成される。
【００３７】
本発明において、第３基板がガラスからなる理由について説明する。高い耐熱衝撃性と、製造工程で用いられる薬品に対する良好な耐性と、広いスペクトル域（ＶＩ、ＵＶ）に亘る高い透過度と、重量を少なくするための低密度と、を満たすために、第３基板がガラスから構成されることが、特開２０００−３０２４７５号公報に記載されている。ガラス基板がＴＦＴディスプレイにおける基板として用いられる場合は、ガラス基板がアルカリ金属イオンを含まないことを要すると記載されている。この理由は、一般に、アルカリ金属イオンは、トランジスタ特性に悪影響を及ぼすとされるからである。トランジスタ特性に悪影響が及ぼされると、例えば、ユーザが、画像を書き換えるときに、ボタン３を押下したとしても、画像の書き換えが行われないことがある。すなわち、アルカリ金属イオンがガラス基板４００に含まれると、画像の書き換え制御に誤作動が生じる。ガラス基板が有色である場合、つまり透明でない場合は、顔料及び染料などがガラス基板に含まれる。顔料及び染料は、アルカリ金属イオンを含む場合があるので、好ましくは、ガラス基板は透明であることが必要とされる。ただし、１０００ｐｐｍを下回るアルカリ金属イオンは含まれても良い。ガラスに含まれるアルカリ金属イオンなどの不純物に関して、詳細は特開２０００−３０２４７５に記載されている。
【００３８】
減光性両面テープ１０７は、ポリエステルフィルムで形成された基材の両面に、アクリルを主成分とするアクリル系接着剤を備えた両面テープである。所定量の染料または顔料が、ポリエステルフィルムに添加される。従って、ポリエステルフィルムとアクリル系接着剤を備えた減光性両面テープ１０７は、太陽光などの白色光を減光できる。この減光性両面テープ１０７の光の透過率は５０％以下である。たとえば、１００，０００ｌｘの照度の光が光源から物体に照射されている場合に、光源と物体との間にこの減光性両面テープ１０７を配置し光源からの光を遮ったとき、５０，０００ｌｘ以下の光が物体に照射されることになる。
【００３９】
表示装置１の外側から入射される光が、この減光性両面テープ１０７により、減光される。これにより、強い光がＴＦＴ１４０に入射してリーク電流が発生することを防止できる。リーク電流が発生する理由として、光が、金属からなるＴＦＴ１４０に照射することにより、周知の光電効果が起きることが挙げられる。光電効果が起きると、ＴＦＴ１４０にゲート電圧およびソース電圧を加えたとしても、光電効果に起因した電圧がＴＦＴ１４０にさらに加わるので、画像の書き換え制御に誤作動が起きる。真夏の太陽光の下での照
度がおよそ１００,０００ｌｘ程度である。表示媒体１０を備えた表示装置１を真夏の太
陽光の下で使用したとしても、ＴＦＴ１４０に照射される光は、第１積層体１００、または第２積層体２００により減光され、さらに減光性両面テープ１０７により減光される。すなわち、ＴＦＴ１４０での照度は５０，０００ｌｘ以下に減光される。従って、リーク電流がソース信号に混入することにより、表示媒体１０に表示される画像の書き換え制御に誤作動が生じることを防ぐことができる。
【００４０】
青色の染料または顔料がポリエステルフィルムに添加されることが好ましい。電極形成フィルム１０３に形成される共通電極はＩＴＯから構成されるので、少し黄色い。これにより、表示媒体１０に表示される画像も少し黄色く表示される。これに対し、青色の染料または顔料がポリエステルフィルムに添加され、減光性両面テープ１０７の色が青にされることにより、黄色味がかった表示を改善することが出来る。
【００４１】
第１積層体１００と、ガラス基板４００とは、第１積層体１００の側面に沿って形成されたシリコンモールド１０９によって、固定される。シリコンモールド１０９は、第１積層体１００の側面と、ガラス基板４００の回路形成面４００Ａとに沿って形成される。第２積層体２００と、ガラス基板４００とは、第２積層体２００の側面に沿って形成されたシリコンモールド１０９によって、固定される。シリコンモールド１０９は、第２積層体２００の側面と、ガラス基板４００の回路形成面４００Ａとに沿って形成される。
【００４２】
図４、及び図５を参照し、回路形成面４００Ａに形成されるアクティブマトリクス回路について説明する。図４は回路形成面４００Ａに形成されるアクティブマトリックス回路を示す説明図である。図５は、アクティブマトリックス回路の領域Ａに配置されるＴＦＴ１４０と画素電極１３５とを示す説明図である。アクティブマトリクス回路が画素電極１３５、ＴＦＴ１４０、ゲート電極線１１１、ソース電極線１２１等から構成される。ゲートドライバ１１０及びソースドライバ１２０が回路形成面４００Ａに設置される。ゲートドライバ１１０は、ゲート電極線１１１へ出力するゲート信号を制御する。ソースドライバ１２０は、ソース電極線１２１へ出力するソース信号を制御する。図４に示すように、複数のゲートドライバ１１０が回路形成面４００Ａに配置される。各ゲートドライバ１１０の一端側の端子は、多数のゲート電極線１１１と電気的に接続されている。また、各ゲートドライバ１１０の他端側の端子は複数の信号線１１２と電気的に接続されている。上述の回路基板７の表示コントローラからの制御信号が、この信号線１１２を介してゲートドライバ１１０に入力される。ゲートドライバ１１０は、信号線１１２から入力される制御信号に従って、各ゲート電極線１１１へ出力するゲート信号を制御する。信号線１１２は、上述のＦＰＣ６を介して回路基板７の回路と接続される。
【００４３】
複数のソースドライバ１２０が回路形成面４００Ａに配置される。各ソースドライバ１２０の一端側の端子は、複数のソース電極線１２１と接続される。また、各ソースドライバ１２０の他端側の端子は複数の信号線１２２と電気的に接続される。信号線１２２は、上述の回路基板７の表示コントローラからの制御信号が、この信号線１２２を介してソースドライバ１２０に入力される。ソースドライバ１２０は、信号線１２２から入力される制御信号に従って、各ソース電極線１２１へ出力するソース信号を制御する。信号線１２２と、上述のＦＰＣ６を介して回路基板７の回路と接続される。
【００４４】
多数のゲート電極線１１１と、多数のソース電極線１２１とは、互いに交差するように、格子状に配列される。ＴＦＴ１４０と画素電極１３５とが、ゲート電極線１１１とソース電極線１２１との交点の近傍にそれぞれ１つずつ配置される。領域Ａはゲート電極線１１１とソース電極線１２１とで囲まれる領域である。図５を参照して、この交点近傍の詳細な構成を説明する。
【００４５】
図５に示すように、１つの画素電極１３５が、ゲート電極線１１１とソース電極線１２１との交点Ｐ近傍に配置される。画素電極１３５側に突出したゲート電極部１１１Ａがゲート電極線１１１の交点Ｐ近傍に配置される。画素電極１３５側に突出したソース電極部１２１Ａが、ソース電極線１２１の交点Ｐ近傍に配置される。絶縁膜１３３が、ゲート電極部１１１Ａの上に形成される。半導体膜１３２が絶縁膜１３３の上に形成される。ソース電極部１２１Ａは、半導体膜１３２の一端側にかぶさるように形成される。ドレイン電極１３１が、半導体膜１３２の他端側にかぶさるように形成される。ドレイン電極１３１は、画素電極１３５と電気的に接続される。このように、ＴＦＴ１４０は、ソース電極部１２１Ａ、絶縁膜１３３、半導体膜１３２、ゲート電極部１１１Ａ、ドレイン電極１３１等から構成される。絶縁膜１３４がゲート電極線１１１とソース電極線１２１との交点に形成され、ゲート電極線１１１とソース電極線１２１との間に形成される。絶縁膜１３４は、ゲート電極線１１１とソース電極線１２１とが電気的に接続されることを防止する。
【００４６】
図４を参照して、上述の減光性両面テープ１０７がガラス基板４００を覆う領域を説明する。図４に点線で示した減光領域Ｂは、上述の減光性両面テープ１０７が、ガラス基板４００を覆う領域である。図４の減光領域Ｂで示したように、減光性両面テープ１０７は、回路形成面４００Ａに形成された全てのＴＦＴ１４０と全ての画素電極１３５とを覆うように配置される。従って、ＴＦＴ１４０に入射される光を減光することが出来る。
【００４７】
先ず、減光性両面テープ１０７が第１積層体１００のポリマーバインダ１０４の下面に貼り付けられる。次に、減光性両面テープ１０７が貼り付けられた第１積層体１００がガラス基板４００の上面に載置される。これにより、第１積層体１００とガラス基板４００とは、減光性両面テープ１０７により接着される。使用される減光性両面テープ１０７は、上述したように全てのＴＦＴ１４０と全ての画素電極１３５とを覆うような両面テープである。従って、減光性両面テープ１０７が第１積層体１００の下面に貼り付けられる際の位置あわせの精度はそれほど高くなくても良い。減光性両面テープ１０７は、上述したように、全てのＴＦＴ１４０と全ての画素電極１３５とを覆うように配置されている。このため、光をより減光することが出来る。
【００４８】
図示されていない両面テープが第２積層体２００のポリマーバインダ１０４の下面に貼り付けられる。次に両面テープが張り付けられた第２積層体２００がガラス基板４００の下面に貼り付けられる。これにより、第２積層体２００とガラス基板４００とは、両面テープにより接着される。
【００４９】
電圧が画素電極３００と第１積層体１００に備えられた共通電極とに印加されると、第１積層体１００に備えられたマイクロカプセル１０５中の白色帯電粒子１５１及び黒色帯電粒子１５２の配置が変化し、第１積層体１００に表示される画像が書き換えられる。電圧が画素電極３００と第２積層体２００に備えられた共通電極とに印加されると、第２積層体２００に備えられたマイクロカプセル１０５中の白色帯電粒子１５１及び黒色帯電粒子１５２の配置が変化し、第２積層体２００に表示される画像が書き換えられる。第１積層体１００に表示される画像と第２積層体２００に表示される画像との書き換え制御に関しては、特許文献１に記載されているので説明を省略する。
【００５０】
本発明の表示媒体は、上記した実施形態に限定されるものではなく、本発明の要旨を逸脱しない範囲内において種々変更を加え得ることは勿論である。
【００５１】
［変形例１］
第２積層体２００とガラス基板４００とは、両面テープにより接着されていたが、この両面テープは減光性両面テープが用いられてもよい。この場合、第２積層体２００とガラス基板４００とを接着する減光性両面テープが本発明の第２減光部である。第２積層体２
００とガラス基板４００との接着に減光性両面テープが用いられると、表示媒体１０の外部から入射した光は、第１積層体１００とガラス基板４００との間に設けられた減光性両面テープ１０７と、第２積層体２００とガラス基板４００との間に設けられた減光性両面テープと、により減光される。これにより、表示媒体１０の外部から入射した光が、ガラス基板４００を透過する場合の光の量を減光性両面テープ１０７のみが設けられた表示媒体１０よりも減らすことが出来る。例えば、図３において下から上に向かって、表示媒体１０の外部から第２積層体２００に入射した光が、ガラス基板４００を透過する場合に、ユーザは、その透過光の影響が減少された鮮明な画像を第１積層体１００に表示された画像として見ることが出来る。
【００５２】
［変形例２］
上述の実施形態によれば、減光性両面テープ１０７は、ポリエステルフィルムで形成された基材の両面に、アクリルを主成分とするアクリル系接着剤を備えた両面テープであった。これに限らず、ポリエステルフィルムの両面に銀粒子を蒸着させて、その上にアクリル系の接着剤を備えた両面テープであってもよい。この場合、銀粒子の蒸着層が本発明の反射部の一例である。この銀粒子の蒸着層は、ポリエステルフィルムの少なくとも片面に設けられれば良い。従って、銀粒子の蒸着層が第１積層体１００側に設けられた場合は、上透明板２Ａから入射する外部からの光は銀粒子の蒸着層により反射される。これにより、第１積層体１００に表示された画像は、銀粒子の蒸着層が減光性両面テープ１０７に設けられない場合よりも、明るく表示される。これにより、第１の層に表示される画像の視認性が向上する。一方、銀粒子の蒸着層が第２積層体２００側に設けられた場合は、下透明板２Ｂから入射する外部からの光は銀粒子の蒸着層により反射される。これにより、第２積層体２００に表示された画像は、銀粒子の蒸着層が減光性両面テープ１０７に設けられない場合よりも、明るく表示される。これにより、第２積層体２００に表示された画像は、銀粒子の蒸着層が減光性両面テープ１０７に設けられない場合よりも、明るく表示される。これにより、第２積層体２００に表示される画像の視認性が向上する。
【００５３】
［変形例３］
上述の実施形態によれば、減光性両面テープ１０７は、第１積層体１００とガラス基板４００との間、すなわち第１積層体１００と画素電極３００との間に配置されたが、これに限られない。減光性両面テープ１０７は、第１積層体１００と第２積層体２００との間に配置されればよい。特に、減光性両面テープ１０７が、第２積層体２００とガラス基板４００との間に配置されると、第２積層体２００をガラス基板４００に固定する際に、減光性両面テープ１０７を第２積層体２００とガラス基板４００との間に設ければよいので、表示媒体１０に減光性両面テープ１０７を設けるのが容易にすることができる。また、減光性両面テープ１０７は、ガラス基板４００において、ＴＦＴ１４０が備えられる面と反対方向の面に備えられる。従って、減光性両面テープ１０７が貼り直された場合に、ＴＦＴ１４０にダメージが与えられることがない。
【００５４】
［変形例４］
上述の実施形態によれば、減光性両面テープ１０７は、第１積層体１００と画素電極３００との間に配置されたが、これに限られない。図６に示したように複数の画素電極３００が２枚のガラス基板４００及びガラス基板４０１に挟まれた構成でもよい。この構成が用いられた場合、第１積層体１００とガラス基板４０１とは両面テープで接着される。第２積層体２００とガラス基板４０１とは両面テープで接着される。画素電極３００は、第１積層体１００に備えられる共通電極と画素電極３００との距離と、第２積層体２００に備えられる共通電極と画素電極３００との距離と、が等しくなる位置に配置される。減光性両面テープ１０７は、複数の画素電極３００に対向して配置される。従って、第１積層体１００に表示される画像を書き換える場合と、第２積層体２００に表示される画像を書き換える場合と、で画素電極３００に印加する電圧及びこの電圧を印加する時間を等しく
することが出来る。従って、第１積層体１００に表示された画像を書き換える制御及び第２積層体２００に表示された画像を書き換える制御が容易になる。
【００５５】
［変形例５］
上述の実施形態によれば、上述の減光性両面テープ１０７は、上述したように、全てのＴＦＴ１４０と全ての画素電極１３５とを覆うように配置されているものとして説明した。しかし、ＴＦＴ１４０の上部のみに減光性のある両面テープを設け、画素電極１３５の上部には減光性のある両面テープを設けない変形例も考えられる。この変形例でも、ＴＦＴ１４０へ直接入射される光は減光性のある両面テープにより減光される。この変形例によれば、使用する減光性の両面テープの量を減らすことができ、製造コストを削減することができる。しかし、この場合は、減光性のある両面テープの位置決めの精度を良くする必要がある。減光性のある両面テープが設けられていない画素電極１３５の上部から入射されてくる光が、ＴＦＴ１４０側に回り込みこむ可能性がある。これに比べ、全てのＴＦＴ１４０と全ての画素電極１３５とを覆うように配置されている上述の実施形態によれば、光をより確実に減光することが出来る。
【００５６】
［変形例６］
上述の実施形態によれば、第１減光部として、減光性両面テープ１０７を用いるものとして説明したが、本発明はこれに限らない。たとえば、光を減光するために染料や顔料が添加されたアクリル系の接着剤が第１減光部として用いられても良い。この場合、この接着剤は、ダイコーティングなどにより第１積層体１００の下面側に塗布した後、減光性のある接着剤が塗布された第１積層体１００をガラス基板４００の上面に配置することで接着する。
【００５７】
［変形例７］
上述の実施形態によれば、減光性両面テープ１０７に青色の染料、または、顔料が添加されるものとして説明したが、他の色の染料、または、顔料が添加されているものでもよい。また、染料と顔料との両方が添加されているものでも良い。
【００５８】
［変形例８］
上述の実施形態によれば、減光性両面テープ１０７が用いられるものとして説明したが、染料または顔料が添加されたＰＥＴフィルムが第１減光部として用いられても良い。この場合、そのＰＥＴフィルムの両面に両面テープを貼り付けて、第１積層体１００とガラス基板４００とが接着されても良い。
【００５９】
［変形例９］
上述の実施形態によれば、第１の層及び第２の層として、マイクロカプセル１０５を備えたポリマーバインダ１０４を説明したが、本発明はこれに限らない。対向する一対の基板間に複数の隔壁が設けられ、その一対の基板と隔壁とにより区画される領域内に帯電粒子を備えても良い。
【００６０】
［変形例１０］
上述の実施形態によれば、白色帯電粒子１５１及び黒色帯電粒子１５２が炭化水素ベースの流体内に分散されている表示媒体１０を例に説明したが、本発明はこれに限るものではない。たとえば、白色帯電粒子１５１及び黒色帯電粒子１５２が気体中に分散されても良い。
【００６１】
［変形例１１］
上述の実施形態によれば、白色帯電粒子１５１及び黒色帯電粒子１５２を備えた表示媒体１０を例に説明したが、本発明はこれに限るものではない。たとえば、白色の流体中に
黒色粒子を備え、流体の白と黒色粒子の黒との組み合わせで画像を表示する表示媒体であっても良い。
【００６２】
［変形例１２］
上述の実施形態によれば、表示媒体１０は、ユーザが携帯可能なサイズの表示装置１に備えられるとして説明したが、本発明はこれに限るものではない。たとえば、歩行者に対して、電子広告を掲載する電子看板などに、本発明の表示媒体１０が用いられてもよい。
【００６３】
［変形例１３］
上述の実施形態によれば、表示装置１は、表示装置１の強度を向上させるために、上透明板２Ａ及び下透明板２Ｂを備えたが、表示品質を向上させる場合は、上透明板２Ａ及び下透明板２Ｂは無くても良い。
【符号の説明】
【００６４】
１        表示装置
７        回路基板
１０      表示媒体
１００    第１積層体
１０１    保護フィルム
１０２    透明接着層
１０３    電極形成フィルム
１０３Ａ  電極形成面
１０４    ポリマーバインダ
１０５    マイクロカプセル
１０７    減光性両面テープ
１０９    シリコンモールド
１１０    ゲートドライバ
１１１    ゲート電極線
１２０    ソースドライバ
１２１    ソース電極線
１３５    画素電極
１４０    ＴＦＴ
２００    第２積層体
３００    画素電極
４００    ガラス基板
【図１】
2012032535.tif 000003
【図２】
2012032535.tif 000004
【図３】
2012032535.tif 000005
【図４】
2012032535.tif 000006
【図５】
2012032535.tif 000007
【図６】
2012032535.tif 000008